(57)【特許請求の範囲】
【請求項１】
データ入力手段を用いた前回データ入力後にデータ入力処理を行う制御部から表示手段に今回データを入力するために必要な今回入力用画面表示データを転送可能、表示手段が受信した今回入力用画面表示データを表示画面に表示可能であるとともに表示画面に表示された今回入力用画面表示データを参照しつつデータ入力手段を用いて今回データを入力可能かつ今回入力データをデータ入力手段から制御部に送信可能に形成されたデータ入力処理装置において、
前記制御部から前記表示手段に次回入力用画面表示データが転送された場合に前記今回入力用画面表示データの前記表示画面への表示が継続しているか否かを判別可能かつ前記今回入力用画面表示データの表示継続中であると判別した場合に強制表示切替条件が成立しているか否かを判別可能であるとともに、強制表示切替条件が成立していると判別した場合に表示継続中の当該今回入力用画面表示データに代えて当該次回入力用画面表示データを表示画面に強制切替表示可能に形成されているデータ入力処理装置。
【請求項２】
前記次回入力用画面表示データが全画面表示データである場合に前記強制切替表示条件が成立したものとされ、前記次回入力用画面表示データが全画面表示データであると判別した場合には表示継続中の前記今回入力用画面表示データから当該次回入力用画面表示データへの前記強制切替表示を即実行可能であるとともに当該次回入力用画面表示データが部分画面表示データであると判別した場合には前記今回入力用画面表示データの表示終了まで前記強制切替表示の実行を遅延可能に形成されている請求項１記載のデータ入力処理装置。
【請求項３】
データ入力手段を用いた前回データ入力後にデータ入力処理を行う制御部から表示手段に今回データを入力するために必要な今回入力用画面表示データを転送可能、表示手段が受信した今回入力用画面表示データを表示画面に表示可能であるとともに表示画面に表示された今回入力用画面表示データを参照しつつデータ入力手段を用いて今回データを入力可能かつ今回入力データをデータ入力手段から制御部に送信可能に形成されたデータ入力処理装置において、
前記制御部から前記表示手段に次回入力用画面表示データが転送された場合に前記今回入力用画面表示データの前記表示画面への表示が継続しているか否かを判別する表示継続中判別手段と，前記次回入力用画面表示データが全画面表示データおよび部分画面表示データのいずれであるかを判別する画面判別手段と，表示継続中判別手段によって前記今回入力用画面表示データが表示継続中であると判別されかつ画面判別手段によって前記次回入力用画面表示データが全画面表示データであると判別されたことを条件に前記表示画面に表示継続中の前記今回入力用画面表示データに代えて当該次回入力用画面表示データを表示画面に強制切替表示する強制切替表示制御手段と，表示継続中判別手段によって前記今回入力用画面表示データが表示継続中であると判別されかつ画面判別手段によって前記次回入力用画面表示データが部分画面表示データであると判別されたことを条件に前記表示画面に表示継続中の前記今回入力用画面表示データが表示終了するまで強制切替表示制御手段の強制切替表示を禁止する強制切替表示禁止制御手段とを設けた、データ入力処理装置。
【請求項４】
前記データ入力手段がキーボードから形成されかつ前記表示手段がＬＣＤ構造から形成され、前記制御部がキーボードを用いて入力された入力データに対応する前記データ入力処理を実行可能かつ実行されたデータ入力処理に対応する前記次回入力用画面表示データを抽出しつつ前記表示手段へ転送可能に形成されている請求項３記載のデータ入力処理装置。
【請求項５】
前記データ入力処理が少なくとも商品登録および会計処理を含む商品販売データ処理とされている請求項１から請求項４までのいずれか１項に記載されたデータ入力処理装置。
【発明の詳細な説明】
【０００１】
【発明の属する技術分野】
本発明は、データ入力手段を用いた前回データ入力後にデータ入力処理を行う制御部から表示手段に今回データを入力するために必要な今回入力用画面表示データを転送可能、表示手段が受信して表示した今回入力用画面表示データを参照しつつデータ入力手段を用いて今回データを入力可能かつ今回入力データをデータ入力手段から制御部に送信可能に形成されたデータ入力処理装置に関する。
【０００２】
【従来の技術】
例えば電子キャッシュレジスタからなる商品販売登録データ処理装置では、設定モード，点検モード，登録モードおよび精算モードを選択的に切替可能で、モード切替えにより表示手段に表示された当該モードの今回入力用画面表示データを参照しつつデータ入力手段を用いて今回データを入力して当該業務を実行することができる。
【０００３】
例えば、電子キャッシュレジスタの開局（業務開始）時に義務付けられたサインオンのために必要な例えばテンキー「１」，「２」，「３」およびサインオンキーを入力操作する場合を考える。すなわち、図１１において、モード切替スイッチ（キー）［鍵スイッチ（キー）］を精算モード→点検モード→登録モードの順に切替えかつ登録モードでテンキー「１」，テンキー「２」，テンキー「３」およびサインオンキーをこの順でキー入力する場合を考える。
【０００４】
まず、起動後に精算モードに切替えると、制御部から表示手段に当該精算モードで当該今回データを入力するために必要な今回入力用画面表示データが転送され、表示手段が受信した今回入力用画面表示データに基づき図１２に示す精算モード基本画面を当該表示手段の表示画面に表示する。オペレータが表示画面に表示された今回入力用画面表示データ（精算モード基本画面）を参照しつつデータ入力手段を用いて今回データを入力したとすると、当該今回入力データが制御部に送信される。
【０００５】
しかし、図１１の場合は、精算モードにおいて何も入力されずにそのまま直ちに点検モードに切替えられたので、表示画面には図１２に示す点検モードの基本画面が表示される。同様に、この点検モードにおいて何も入力しないで登録モードに切替えられるから、表示画面には図１１に示すように登録モードの基本画面が表示される。
【０００６】
この登録モード基本画面において、データ入力手段（テンキー「１」）を用いて今回データ（“１”）を入力する。すると、画面はテンキー「１」でデータ（“１”）を入力した後のテンキー「１」入力画面に変わる。換言すれば、登録モード基本画面においてデータ入力手段（テンキー「１」）を用いた今回データ（“１”）が入力されたので、次回データ（“２”）を入力するために必要な次回入力用画面表示データが表示手段側に転送され、表示手段の表示画面には今回データ（テンキー「１」）の入力後で次回データ（“２”）の入力を催促乃至確認する画面（テンキー「１」入力画面）が表示されるわけである。
【０００７】
かくして、テンキー「１」入力画面において、データ入力手段（テンキー「２」）を用いて今回データ（“２”）を入力する。すると、画面はテンキー「２」入力画面に変わる。換言すれば、テンキー「１」入力画面においてデータ入力手段（テンキー「２」）を用いた今回データ（“２”）が入力されたので、今回次回データ（“３”）を入力するために必要な次回入力用画面表示データが転送され、画面には今回データ（“２”）の入力後で次回データ（“３”）の入力を催促乃至確認する画面（テンキー「２」入力画面）が表示される。
【０００８】
同様に、図１２のテンキー「２」入力画面において、データ入力手段（テンキー「３」）を用いて今回データ（“３”）を入力する。すると、画面はテンキー「３」入力画面に変わる。したがって、テンキー「３」入力画面において、データ入力手段（サインオンキー）を用いて今回データ（“サインオン…ＳＩＧＮ  ＯＮ”）を入力すると、表示画面はサインオンキー入力画面に変わる。これで、担当者番号“１２３”を入力してのサインオン宣言を成せる。つまり、商品販売業務の開始が許される。
【０００９】
すなわち、前回（今回）画面にいおて前回（次回）データを入力すると、画面には入力済みの前回（今回）データが表示されかつ今回（次回）データの入力催促（確認）をする今回（次回）画面に切替わる。ここで、今回（次回）データを入力すれば、画面は入力済み今回（次回）データを表示しかつ次回（次々回）データの入力催促（確認）をする次回（次々回）画面に切替わる。
【００１０】
そこで、図１１に示すキー入力のために必要とする短時間分を省略して考えると、図１２に示す精算モード基本画面から点検モード基本画面に、点検モード基本画面から登録モード基本画面に、登録モード基本画面からテンキー「１」入力画面に、……、テンキー「３」入力画面からサインオンキー入力画面に、順番に切替えるために必要な各時間は、ほぼ一定（例えば、０．５秒）である。つまり、精算モード基本画面からサインオンキー入力画面までには、３秒を要する。
【００１１】
このような画面切替えは、特に商品登録業務，会計処理業務等々の遂行中において頻繁に繰り返される。例えば商品登録においては、商品コードの入力を求めるガイダンス画面，スキャナを用いて商品ラベルから商品コードを読取り入力した場合の当該商品コードの表示画面，この商品コードに対応するものとして取得された商品データ（商品名，単価等）を確認するための商品データ表示画面，当該商品の購入数をキー入力するための画面等が次々に切替えられる。
【００１２】
【発明が解決しようとする課題】
ところで、かかるデータ入力手段と表示手段とを有しかつキー入力操作に応じて制御部側から表示手段側に正確かつ忠実に画面表示データを転送するように構築された従来データ入力処理装置では、次のような問題が内在する。
【００１３】
すなわち、例えば商品販売データ処理装置内に組み込まれたデータ入力処理装置を使用するオペレータ（キャッシャー）の中には、商品登録業務の遂行手順を熟知しかつデータ入力手段（特に、テンキー）を用いたデータ入力速度が非常に速いオペレータも多い。このようなベテランによれば、上記開局時に義務付けられたサインオンのために必要な例えばテンキー「１」，「２」，「３」およびサインオンキーを連続的に入力操作する場合、それに要する時間は常識に見ても例えば１．５〜１秒以内で行えると考えられる。
【００１４】
一方において、制御部，表示制御回路（表示用コントローラ）および表示器等を含む表示手段の高速化にもコスト的・技術的な点から、一定の制約がある。また、画面上の表示情報量も増大する傾向が強い。しかも、オペレータの中には業務遂行手順を完全に記憶していない者やキー入力が遅い者つまり初心者も混ざっているので、やみ雲にハードウエア的に表示切替高速化を図る必然性に乏しいという一面もある。したがって、運用の実際において、上記精算モード基本画面からサインオンキー入力画面までに要する３秒を例えば３〜２．５秒以下にすることは難しい場合が多い。
【００１５】
かくして、画面表示切替速度とオペレータの入力速度との間にミスマッチが多々に発生する場合がある。つまり、画面表示切替速度が遅いためにキー入力操作速度に同期的に追従できないから、オペレータの入力リズムが狂い入力業務の遅速化を招く。
【００１６】
本発明の目的は、画面表示切替速度とオペレータの入力速度との間の速度ミスマッチを軽減することのできるデータ入力処理装置を提供することにある。
【００１７】
【課題を解決するための手段】
請求項１の発明は、データ入力手段を用いた前回データ入力後にデータ入力処理を行う制御部から表示手段に今回データを入力するために必要な今回入力用画面表示データを転送可能、表示手段が受信した今回入力用画面表示データを表示画面に表示可能であるとともに表示画面に表示された今回入力用画面表示データを参照しつつデータ入力手段を用いて今回データを入力可能かつ今回入力データをデータ入力手段から制御部に送信可能に形成されたデータ入力処理装置において、前記制御部から前記表示手段に次回入力用画面表示データが転送された場合に前記今回入力用画面表示データの前記表示画面への表示が継続しているか否かを判別可能かつ前記今回入力用画面表示データの表示継続中であると判別した場合に強制表示切替条件が成立しているか否かを判別可能であるとともに、強制表示切替条件が成立していると判別した場合に表示継続中の当該今回入力用画面表示データに代えて当該次回入力用画面表示データを表示画面に強制切替表示可能に形成されているデータ入力処理装置である。
【００１８】
かかる発明では、データ入力手段を用いた前回データ入力後に、データ入力処理を行う制御部から表示手段に今回データを入力するために必要な今回入力用画面表示データが転送される。表示手段では、受信した今回入力用画面表示データを表示画面に表示する。
【００１９】
ここに、制御部から表示手段に次回入力用画面表示データが転送された場合に、今回入力用画面表示データの表示画面への表示が継続しているか否かを判別する。そして、今回入力用画面表示データの表示継続中であると判別した場合に、強制表示切替条件が成立しているか否かを判別する。
【００２０】
強制表示切替条件が成立したか否かは、例えば画面表示データごとに予め設定された表示優先度（指数）の比較や画面表示データが全画面および部分画面のいずれであるかの判断等である。
【００２１】
すなわち、強制表示切替条件が成立していると判別した場合には、表示継続中の今回入力用画面表示データに代えて次回入力用画面表示データを表示画面に強制切替表示する。つまり、過去的な今回入力用画面表示データについては当該時以降のデータ画面表示を省略（途中で中止する。）しかつ未来的な次回入力用画面表示データを優先して表示させる。
【００２２】
したがって、画面表示切替速度とオペレータの入力速度との間にミスマッチを軽減することができる。例えば商品登録業務の遂行手順を熟知しかつデータ入力手段を用いたデータ入力速度が非常に速いオペレータに対しても、入力リズムを維持できる。しかも、制御部，表示制御回路（表示用コントローラ）および表示器等を含む表示手段のハードウエア的で過度な高速化をしなくてもよいから、コスト的・技術的に有利である。また、画面上の表示情報量の増大にも適応できる。
【００２３】
また、請求項２の発明は、前記次回入力用画面表示データが全画面表示データである場合に前記強制切替表示条件が成立したものとされ、前記次回入力用画面表示データが全画面表示データであると判別した場合には表示継続中の前記今回入力用画面表示データから当該次回入力用画面表示データへの前記強制切替表示を即実行可能であるとともに当該次回入力用画面表示データが部分画面表示データであると判別した場合には前記今回入力用画面表示データの表示終了まで前記強制切替表示の実行を遅延可能に形成されたデータ入力処理装置である。
【００２４】
かかる発明では、次回入力用画面表示データが全画面表示データである場合に強制切替表示条件が成立するものとされているので、今回入力用画面表示データの表示継続中に次回入力用画面表示データが全画面表示データであると判別した場合には、次回入力用画面表示データについての強制切替表示を即実行する。しかし、次回入力用画面表示データが部分画面表示データであると判別した場合には、今回入力用画面表示データの表示終了まで、次回入力用画面表示データへの強制切替表示の実行を遅延させる。
【００２５】
すなわち、次回入力用画面表示データが全画面表示データである場合には、今回入力用画面表示データの表示を中断しても次回入力用画面表示データの表示に取り掛かる。今回入力済みであるので、当該入力用の画面表示の必要性は乏しい。かくして、先を急ぐわけである。
【００２６】
しかし、次回入力用画面表示データが部分画面表示データである場合には、次回入力用画面表示データが表示終了された今回入力用画面表示データの大部分を共通としかつその一部分に表示される場合が多いので、今回入力用画面表示データの表示が終了しなければ当該表示領域的に次回入力用画面表示データである部分画面表示データを表示することができなくなる虞があるので、これを回避するわけである。
【００２７】
したがって、請求項１の発明の場合と同様な作用効果を奏することができることに加え、さらに次回入力用画面表示データが全画面表示データおよび部分画面表示データのいずれの場合にも次回入力用画面表示データの表示を妥当性ある具体的なタイミングで円滑に行える。
【００２８】
また、請求項３の発明は、データ入力手段を用いた前回データ入力後にデータ入力処理を行う制御部から表示手段に今回データを入力するために必要な今回入力用画面表示データを転送可能、表示手段が受信した今回入力用画面表示データを表示画面に表示可能であるとともに表示画面に表示された今回入力用画面表示データを参照しつつデータ入力手段を用いて今回データを入力可能かつ今回入力データをデータ入力手段から制御部に送信可能に形成されたデータ入力処理装置において、前記制御部から前記表示手段に次回入力用画面表示データが転送された場合に前記今回入力用画面表示データの前記表示画面への表示が継続しているか否かを判別する表示継続中判別手段と，前記次回入力用画面表示データが全画面表示データおよび部分画面表示データのいずれであるかを判別する画面判別手段と，表示継続中判別手段によって前記今回入力用画面表示データが表示継続中であると判別されかつ画面判別手段によって前記次回入力用画面表示データが全画面表示データであると判別されたことを条件に前記表示画面に表示継続中の前記今回入力用画面表示データに代えて当該次回入力用画面表示データを表示画面に強制切替表示する強制切替表示制御手段と，表示継続中判別手段によって前記今回入力用画面表示データが表示継続中であると判別されかつ画面判別手段によって前記次回入力用画面表示データが部分画面表示データであると判別されたことを条件に前記表示画面に表示継続中の前記今回入力用画面表示データが表示終了するまで強制切替表示制御手段の強制切替表示を禁止する強制切替表示禁止制御手段とを設けた、データ入力処理装置である。
【００２９】
かかる発明では、制御部側から次回入力用画面表示データが転送されて来た場合に、表示継続中判別手段は、今回入力用画面表示データの表示画面への表示が継続しているか否かを判別する。また、画面判別手段は、次回入力用画面表示データが全画面表示データおよび部分画面表示データのいずれであるかを判別する。
【００３０】
そして、表示継続中判別手段によって今回入力用画面表示データが表示継続中であると判別されかつ画面判別手段によって次回入力用画面表示データが全画面表示データであると判別されたことを条件に、強制切替表示制御手段が、表示画面に表示継続中の今回入力用画面表示データに代えて当該次回入力用画面表示データを表示画面に強制切替表示する。
【００３１】
他方の強制切替表示禁止制御手段は、表示継続中判別手段によって今回入力用画面表示データが表示継続中であると判別されかつ画面判別手段によって次回入力用画面表示データが部分画面表示データであると判別されたことを条件に、表示画面に表示継続中の今回入力用画面表示データが表示終了するまで、強制切替表示制御手段の強制切替表示を禁止する。
【００３２】
したがって、請求項１の発明の場合と同様に、画面表示切替速度とオペレータの入力速度との間にミスマッチを軽減することができる。例えば商品登録業務の遂行手順を熟知しかつデータ入力手段を用いたデータ入力速度が非常に速いオペレータに対しても、入力リズムを維持できる。しかも、制御部，表示制御回路（表示用コントローラ）および表示器等を含む表示手段のハードウエア的で過度な高速化をしなくていいので、コスト的・技術的に有利である。また、画面上の表示情報量の増大にも適応できる。さらに、自動画面切替方式であるから取扱いが簡単である。
【００３３】
さらに、請求項４の発明は、前記データ入力手段がキーボードから形成されかつ前記表示手段がＬＣＤ構造から形成され、前記制御部がキーボードを用いて入力された入力データに対応する前記データ入力処理を実行可能かつ実行されたデータ入力処理に対応する前記次回入力用画面表示データを抽出しつつ前記表示手段へ転送可能に形成されたデータ入力処理装置である。
【００３４】
かかる発明では、制御部は、キーボードからなるデータ入力手段を用いて入力された入力データに対応するデータ入力処理を実行する。キー入力速度は、オペレータの個人的資質により高低まちまちである。また、実行したデータ入力処理に対応する次回入力用画面表示データを抽出しつつＬＣＤ構造の表示手段へ転送する。ＬＣＤ構造の表示手段の表示切替速度や大きさは、選択された範囲で一定である。
【００３５】
したがって、請求項３の発明の場合と同様な作用効果を奏することができることに加え、さらにデータ入力手段が高速データ入力可能なキーボードでかつ表示手段が多様な表示速度の中から任意的事情によって選択された表示切替速度および大きさのＬＣＤ構造である装置においても適応できかつ利用性が高い。
【００３６】
さらにまた、請求項５の発明は、前記データ入力処理が少なくとも商品登録および会計処理を含む商品販売データ処理とされているデータ入力処理装置である。
【００３７】
かかる発明では、データ入力処理が、商品販売データ処理（少なくとも商品登録および会計処理を含む。）とされているので、請求項１から請求項４までの各発明の場合と同様な作用効果を奏することができることに加え、さらに商品販売データ処理を円滑かつ正確に行えるとともに商品販売業務能率を向上できる。
【００３８】
【発明の実施の形態】
以下、本発明の実施形態について図面を参照して説明する。
【００３９】
（第１の実施形態）
本データ入力処理装置は、図１，図２に示す如く、基本的構成が電子キャッシュレジスタ１０のデータ入力手段（４３）および入力データの表示手段６０（５０，６１）を構成するものとされ、さらに表示継続中判別手段（３０，５０）と画面判別手段（３０）と強制切替表示制御手段（３０）と強制切替表示禁止制御手段（３０）とを設け、制御部３０から表示手段６０（６１）に次回入力用画面表示データが転送された場合に今回入力用画面表示データが表示継続中であると判別されかつ次回入力用画面表示データが全画面表示データであると判別されたことを条件に、表示画面６１Ｇに表示継続中の今回入力用画面表示データに代えて当該次回入力用画面表示データを表示画面６１Ｇに強制切替表示可能であるとともに今回入力用画面表示データが表示継続中であると判別されかつ次回入力用画面表示データが部分画面表示データであると判別されたことを条件に表示画面６１Ｇに表示継続中の今回入力用画面表示データが表示終了するまで強制切替表示を禁止可能に形成されている。
【００４０】
図１において、電子キャッシュレジスタ１０は、標準入力装置（キーボード４３）を含むパソコン２０に、外部入出力装置を接続してなる。外観を図２に示す。
【００４１】
パソコン２０は、マザーボードにＣＰＵ３１，ＲＯＭ３２，ＲＡＭ３３および時計回路等（図示省略）を実装した構成の制御部３０に、ＨＤＤ（ハードディスク装置）４１，ＦＤＤ（フロッピーディスク装置）４２，上記キーボード４３，入出力ポート（Ｉ／Ｏ）４６・４７および外部（例えば、ストアコントローラ８０）とデータ通信回線網４５を介してデータ通信するための通信用インターフェイス（Ｉ／Ｆ）４４等を接続してなる。
【００４２】
入出力ポート４６にはその他の入力装置を形成するスキャナ（ＳＣＮ）７１およびカードリーダライター（Ｒ／Ｗ）７３が接続され、入出力ポート４７にはプリンタ（ＰＮＴ）７５およびその他の出力装置（自動開放型のドロワ等）７６が接続されている。
【００４３】
また、制御部３０には、表示手段６０を構成するオペレータ用表示器（ＦＩＵ）６１および客用表示器（ＢＩＵ）６５が表示用コントローラ５０を介して接続されている。また、各コントローラ（ＣＯＮＴ）を介してオペレータ用表示器（ＦＩＵ）６１に対応するタッチパネル６２および客用表示器（ＢＩＵ）６５に対応するタッチパネル６６が接続されている。
【００４４】
ＨＤＤ（メモリ）４１には、図示省略した商品ファイル，売上ファイル等の他に、図４，図５に示す画面表示切替プログラム等を格納させたプログラムファイル４１ＰＲＧが設けられている。各ファイルは、ＲＡＭ３３に展開されて使用される。
【００４５】
データ入力処理装置は、この実施形態では、制御部３０，キーボード４３および制御機能をも有する表示手段［表示用コントローラ５０およびオペレータ用表示器（ＦＩＵ）６１］から形成されている。
【００４６】
このデータ入力処理装置の基本的機能は、データ入力手段（キーボード４３）を用いた前回データ入力後に、データ入力処理を行う制御部３０から表示手段６０（６１）に今回データを入力するために必要な今回入力用画面表示データを転送可能、表示手段６０（５０）が受信した今回入力用画面表示データをオペレータ用表示器（ＦＩＵ）６１の表示画面６１Ｇに表示可能であるとともに表示画面６１Ｇに表示された今回入力用画面表示データを参照しつつデータ入力手段（４３）を用いて今回データを入力可能かつ今回入力データをデータ入力手段（４３）から制御部３０に送信可能である。
【００４７】
すなわち、キーボード４３がデータ入力手段を構成し、ＬＣＤ構造である表示手段６０（オペレータ用表示器６１ＦＩＵ）は、制御部３０側から転送されて来た全画面表示データに基づいて図６〜図１０に示す画面６１Ｇに６００文字（＝４０桁×１５行）を表示することができる。
【００４８】
この画面表示データは、図３に示すフォーマットとされ、スタートアドレスは行番号、ストップアドレスは桁番号、各画面データはそのアドレスの文字データをそれぞれに表わす。全画面表示データの場合は、スタートアドレスが「０１，０１」で、ストップアドレスが「１５，４０」で、画面データ（Ｎ）のＮは「６００」である（Ｎ＝６００）。
【００４９】
さて、制御部３０は、データ入力手段（キーボード４３）を用いてデータ（キー入力）が入力されると、今回データ（当該キー入力）に対応しかつ表示手段６０（５０，６１）側に応答すべき応答画面表示データＤ（次回入力用画面表示データ）を抽出（図４のＳＴ１０）する。
【００５０】
引続き、次回入力用画面表示データＤが全画面表示データＤａである場合（ＳＴ１１のＹＥＳ）は、メモリ（ＲＡＭ３３）に全画面表示データＤａである旨を記憶する。この実施形態では、フラグＦ２を“１”にセット（Ｆ２＝１）する（ＳＴ１２）。
【００５１】
反対に、次回入力用画面表示データＤが部分画面表示データＤｐである場合（ＳＴ１１のＮＯ）は、メモリ（ＲＡＭ３３）に部分画面表示データＤｐである旨を記憶する。この実施形態では、フラグＦ２を“０”にリセット（Ｆ２＝０）したままである（ＳＴ１３）。
【００５２】
いずれの場合でも、図３に示すフォーマットの次回入力用画面表示データＤ（＝Ｄａ）を表示手段（６１）側つまり表示用コントローラ５０へ転送する。つまり、制御部３０としては、次回入力用画面表示データＤ（＝Ｄａ）の表示指示として当該次回入力用画面表示データＤ（＝Ｄａ）を表示用コントローラ５０へ転送する。しかし、この段階では、当該次回入力用画面表示データＤ（＝Ｄａ）が直ちにオペレータ用表示器６１の表示画面６１Ｇに表示されるか否かは分からない。
【００５３】
ここに、表示継続中判別手段（３０，５０）は、制御部３０から表示手段６０側（５０，６１）に次回（今回）入力用画面表示データＤが転送された場合に、今回（前回）入力用画面表示データＤの表示画面６１Ｇへの表示が継続しているか否かを判別（ＳＴ１４）する。つまり、表示用コントローラ５０からオペレータ用表示器６１へ今回（前回）入力用画面表示データを転送している最中か否かを判別するわけである。この実施形態では、フラグＦ１＝１が転送中で、Ｆ２＝０が転送終了である。
【００５４】
また、画面判別手段（５０）は、表示継続中判別手段（３０，５０）によって今回入力用画面表示データＤの表示画面６１Ｇへの表示が継続していると判別された場合（ＳＴ１４のＹＥＳ）に、次回入力用画面表示データＤが全画面表示データＤａおよび部分画面表示データＤｐのいずれであるかを判別する（ＳＴ１５）。図３に示すフォーマットの画面表示データ（メモリマップ）を参照して判別する。
【００５５】
強制切替表示制御手段（３０）は、表示継続中判別手段（３０，５０）によって今回（入力用画面表示データ）Ｄが表示継続中であると判別（ＳＴ１４でＹＥＳ）されかつ画面判別手段（３０）によって次回入力用画面表示データが全画面表示データＤａであると判別（ＳＴ１５でＹＥＳ）されたことを条件に、表示画面６１Ｇに表示継続中の今回入力用画面表示データに代えて次回入力用画面表示データをオペレータ用表示器６１に転送しつつ表示画面６１Ｇに当該次回入力用画面表示データを強制切替表示する（ＳＴ１８）。
【００５６】
「表示継続中の今回入力用画面表示データに代えて」とは、今回（画面表示データ）Ｄ（＝Ｄａ）の転送を中断（ＳＴ１６）して当該次回入力用画面表示データを表示手段６０に強制転送（ＳＴ１８）する意味である。
【００５７】
次回（画面表示データ）Ｄ（＝Ｄａ）の転送は、次回入力用画面表示データ（Ｄ＝Ｄａ）の転送中を表すフラグＦ１を“１”にセット（Ｆ１＝１）する（図５のＳＴ１８１）とともに、今回の応答画面表示データ（次回入力用画面表示データ）を１バイトずつ表示用コントローラ５０（表示手段６０側）に転送する（ＳＴ１８２）。転送終了（ＳＴ１８３のＹＥＳ）後に、フラグをリセットする（ＳＴ１８４）。つまり、Ｆ１＝０，Ｆ２＝０にする。
【００５８】
なお、強制切替表示禁止制御手段（３０）は、表示継続中判別手段（３０，５０）によって今回入力用画面表示データＤが表示継続中であると判別（図４のＳＴ１４でＹＥＳ）されかつ画面判別手段（３０）によって次回入力用画面表示データが部分画面表示データＤｐであると判別（ＳＴ１５のＮＯ）されたことを条件に、表示画面６１Ｇに表示継続中の今回入力用画面表示データＤａが表示終了（ＳＴ１７のＹＥＳ）するまで、強制切替表示制御手段（３０）の強制切替表示（ＳＴ１８）を禁止（ＳＴ１７のＮＯ）する。つまり、待機（遅延）方式による。
【００５９】
かくして、キー入力操作に応じて正確かつ忠実に応答画面表示データを表示手段６０側（５０，６１）に転送する場合でかつ全画面表示データＤａ（Ｎ＝６００）の転送時間が０．５秒を必要とするならば、図６〜図１０に示す初期の精算業務時の基本画面（図６）から最終の「サインオン」キー入力画面（図１０）までの画面移行時間は、従来例（図１１，図１２）の場合と同様に、３秒である。
【００６０】
しかし、この発明（実施形態）では、キー入力に必要とする時間を無視すると、例えば０．５秒で画面移行することができる。
【００６１】
詳しくは、この実施形態において、従来例の場合（図１１）と同様にモードを切替（精算モード→点検モード→登録モードの順で切替）るとともに登録モードにおいてキー入力（テンキー「１」，「２」，「３」およびサインオンキーをこの順で行う。）を実行した場合を考える。また、図６〜図１０に示す各モード画面は、上記の通り全画面表示データＤａである。
【００６２】
すなわち、電子キャッシュレジスタ１０の立上げ条件としてのサインオンを登録モードの基本画面（図８）で実行することを考える。そして、この場合の精算モードおよび点検モードは、モード切替スイッチ（キー）を登録モードに切替える際の途中に単に通過（データ入力はしない。）するだけである。もとより、制御部３０は精算モードおよび点検モードでも切替えられることに変わりがないので、当該基本画面（図６，図７）を表示しようとする。
【００６３】
ここで、精算モードに切替え指示すると、制御部３０は、これに対応する画面表示データＤつまりキーボード４３を用いて次回データを入力するために必要な次回入力用画面表示データＤａを抽出（図４のＳＴ１０）する。
【００６４】
この抽出中でも表示手段６０（オペレータ用表示器６１）の画面６１Ｇには、図６の精算業務時の基本画面［今回入力用画面表示データＤａ（４０桁×１５行＝６００文字）］が表示されつつある（図５のＳＴ１８２）。今回入力用画面表示データＤａの転送中（Ｆ１＝１）が記憶される。
【００６５】
当該今回入力用画面表示データＤは全画面表示データＤａである（ＳＴ１１のＹＥＳ）から、その旨（Ｆ２＝１）が記憶（ＳＴ１２）される。図６に示す精算業務時の基本画面ではデータは何も入力されずかつ完全表示状態に至る前に点検モードに切替えられる。
【００６６】
かくして、制御部３０側から次回入力用画面表示データが転送されて来た場合に、表示手段６０側（５０，６１）の表示継続中判別手段（表示コントローラ５０，制御部３０）は、今回入力用画面表示データＤの表示画面６１Ｇへの表示が継続しているか否かを判別（ＳＴ１４）する。この場合は、転送中である（ＳＴ１４でＹＥＳ）。
【００６７】
すると、画面判別手段（３０）が、次回入力用画面表示データＤが全画面表示データＤａであると判別（ＳＴ１５のＹＥＳ）するので、強制切替表示制御手段（３０）は、表示画面６１Ｇに表示継続中の今回入力用画面表示データＤａに代えて当該次回入力用画面表示データＤａを表示画面６１Ｇに強制切替表示（ＳＴ１６，ＳＴ１８）する。つまり、図７の点検業務時の基本画面になる。
【００６８】
以下、同様に図８の登録業務時の基本画面→キー入力「１」，「２」，「３」をした後の表示状態（入力表示枠Ａ内に“１２３”が表示されている。）を示す図９の場合と同様でかつ入力表示枠Ａ内に“１”のみが表示されたテンキー「１」入力画面→図９の場合と同様でかつ入力表示枠Ａ内に“１２”が表示されたテンキー「２」入力画面→図９に示すサインオンキー入力画面→図１０に示すサインオン（ＳＩＧＮ  ＯＮ）に示すサインオンキー入力画面に変わる。なお、図８および図９では、サインオフ（ＳＩＧＮ  ＯＦＦ）状態である。
【００６９】
すなわち、今回画面表示データＤ（＝Ｄａ）が表示手段６０側（５０，６１）に転送中（図４のＳＴ１４でＹＥＳ）でかつ次回画面表示データＤが全画面表示データＤａである場合（図４のＳＴ１５のＹＥＳ）には、各今回画面表示データＤ（＝Ｄａ）の転送が中断（ＳＴ１６）されかつ当該各次回画面表示データＤ（＝Ｄａ）が強制転送（ＳＴ１８）されるから、図６の精算業務時の基本画面から図１０のサインオンキー押下時点の画面まで、一瞬的に表示切替できるわけである。
【００７０】
かくして、キー入力時間が早くても画面表示を追従させられる。なお、各段階で、各今回画面表示データＤの転送が終了していれば（ＳＴ１４のＹＥＳ）、当該各次回画面表示データＤａを転送（ＳＴ１８）することができる。
【００７１】
したがって、画面表示切替速度とオペレータの入力速度との間にミスマッチを軽減することができる。例えば商品登録業務の遂行手順を熟知しかつデータ入力手段（４３）を用いたデータ入力速度が非常に速いオペレータに対しても、入力リズムを維持できる。しかも、制御部３０，表示制御回路（表示用コントローラ５０）および表示器（６１）等を含む表示手段６０のハードウエア的で過度な高速化をしなくていいので、コスト的・技術的に有利である。また、画面６１Ｇ上の表示情報量の増大にも適応できる。さらに、自動画面切替方式なので、取扱いが簡単である。
【００７２】
また、次回入力用画面表示データが全画面表示データＤａである場合に強制切替表示条件が成立したものとされ、次回入力用画面表示データが全画面表示データＤａであると判別した場合には表示継続中の今回入力用画面表示データから当該次回入力用画面表示データへの強制切替表示を即実行可能かつ当該次回入力用画面表示データが部分画面表示データＤｐであると判別した場合には今回入力用画面表示データの表示終了まで強制切替表示の実行を遅延可能であるから、次回入力用画面表示データが全画面表示データＤａおよび部分画面表示データＤｐのいずれの場合にも次回入力用画面表示データの表示を妥当性ある具体的なタイミングで円滑に行える。
【００７３】
また、制御部３０側から次回入力用画面表示データが転送されて来た場合で、表示継続中判別手段（３０，５０）によって今回入力用画面表示データＤが表示継続中であると判別されかつ画面判別手段（３０）によって次回入力用画面表示データが全画面表示データＤａであると判別されたことを条件に、強制切替表示制御手段（３０）が表示画面６１Ｇに表示継続中の今回入力用画面表示データに代えて当該次回入力用画面表示データを表示画面に強制切替表示する。
【００７４】
これに対して、強制切替表示禁止制御手段（３０）は、今回入力用画面表示データが表示継続中であると判別されかつ次回入力用画面表示データが部分画面表示データＤｐであると判別されたことを条件に、表示画面６１Ｇに表示継続中の今回入力用画面表示データが表示終了するまで強制切替表示制御手段（３０）の強制切替表示を禁止するので、自動画面切替方式であるから取扱いが簡単である。
【００７５】
さらに、データ入力手段が高速データ入力可能なキーボード４３でかつ表示手段６０が多様な表示速度の中から任意的事情によって選択された表示切替速度および大きさのＬＣＤ構造である装置（オペレータ用表示器６１）においても、適応できかつ利用性が高い。
【００７６】
さらにまた、データ入力処理が、商品販売データ処理（少なくとも商品登録および会計処理を含む。）とされているので、商品販売データ処理を円滑かつ正確に行えるとともに商品販売業務能率を向上できる。
【００７７】
（第２の実施形態）
この第２の実施形態は、基本的構成・機能が第１の実施形態の場合（図１〜図１０）と同様とされているが、第１の実施形態では各画面表示データＤが全画面表示データＤａとされていたが、この第２の実施形態では図６の精算業務時の精算基本画面（画面表示データ），図７に示す点検時の点検基本画面（画面表示データ）および図８に示す登録業務時の登録基本画面（画面表示データ）は全画面表示データＤａであるが、図９に示すテンキー「３」の押下時点の画面（画面表示データ），図１０に示すサインオンキーの押下時点の画面（画面表示データ）は部分画面表示データＤｐであるとする。テンキー「１」および「２」の各押下時点の画面（画面表示データ）は、図９の場合と同じ部分画面表示データＤｐである。
【００７８】
かくして、第１の実施形態の場合と同様に、図６の精算業務時の基本画面，図７の点検業務時の基本画面の順に表示切替される。これに引続く画面表示データ（今回画面表示データ）は、図８に示す登録業務時の基本画面を表示するための全画面表示データＤａである。
【００７９】
しかし、次回画面表示データは、テンキー「１」を用いて入力されたデータ（“１”）を表示させるためのテンキー「１」入力画面（部分画面表示データＤｐ）である。つまり、図８に示す登録業務時の基本画面中の入力表示枠Ａ相当部分画面で、図８に示す登録業務時の基本画面中の入力表示枠Ａを除く大部分画面が表示されていることが必要である。
【００８０】
したがって、表示継続中判別手段（表示コントローラ５０，制御部３０）が、今回入力用画面表示データＤの表示画面６１Ｇへの表示が継続（転送中…Ｆ１＝１）していると判別（ＳＴ１４のＹＥＳ）し、かつ画面判別手段（３０）が次回入力用画面表示データＤが部分画面表示データＤｐであると判別（ＳＴ１５のＮＯ）すると、今回画面表示データ（登録業務じ基本画面）Ｄａの転送が終了（ＳＴ１７のＹＥＳ）するまで、当該今回画面表示データ（登録業務じ基本画面）Ｄａが転送される。つまり、図８に示す完全表示状態になる。
【００８１】
すなわち、当該次回入力用画面表示データが部分画面表示データＤｐであると判別した場合（ＳＴ１５のＮＯ）には、強制切替表示禁止制御手段（３０）が働き、今回入力用画面表示データ（登録業務じ基本画面）Ｄａの表示終了（ＳＴ１７のＹＥＳ）まで、強制切替表示制御手段（３０）による強制切替表示（ＳＴ１６，ＳＴ１８）の実行を遅延する。
【００８２】
同様に、部分画面表示データＤｐつまりテンキー「２」入力画面，テンキー「３」入力画面が続くので、表示画面６１Ｇの表示態様は、丁度図８の登録業務時の基本画面が一定で、入力表示枠Ａ内に“何も（数値）表示されていない”状態→“１”が表示された状態→“１２”が表示された状態→“１２３”が表示された状態に段階的に切替わる。
【００８３】
この際、部分画面表示データＤｐは、図８，図９に示す如く、１行分（４０文字中の１〜３文字）であるから、各部分画面表示データＤｐの表示切替時間は全画面（６００文字）表示切替時間の少なくとも１／１５であるから、一瞬的である。
【００８４】
しかして、この第２の実施形態によれば、第１の実施形態の場合と同様な作用効果を奏することができる他、さらに基本画面が一定で、入力表示枠Ａ内の部分画面表示データＤｐの表示を段階的かつ極短時間で表示更新可能であるから、キー入力による入力データを当該キー入力操作と関連付けて確認することができる。これは例えばキー入力操作が不慣れあるいは遅い初心者に安心感を与えられる。
【００８５】
【発明の効果】
請求項１の発明によれば、制御部から表示手段に次回入力用画面表示データが転送された場合に今回入力用画面表示データの表示継続中であると判別した場合でかつ強制表示切替条件が成立していると判別した場合に、表示継続中の当該今回入力用画面表示データに代えて当該次回入力用画面表示データを表示画面に強制切替表示可能に形成されたデータ入力処理装置であるから、画面表示切替速度とオペレータの入力速度との間にミスマッチを軽減することができる。例えば商品登録業務の遂行手順を熟知しかつデータ入力手段を用いたデータ入力速度が非常に速いオペレータに対しても、入力リズムを維持できる。しかも、制御部，表示制御回路（表示用コントローラ）および表示器等を含む表示手段のハードウエア的で過度な高速化をしなくてもよいから、コスト的・技術的に有利である。また、画面上の表示情報量の増大にも適応できる。
【００８６】
また、請求項２の発明によれば、次回入力用画面表示データが全画面表示データである場合に強制切替表示条件が成立したものとされ、次回入力用画面表示データが全画面表示データであると判別した場合には表示継続中の今回入力用画面表示データから当該次回入力用画面表示データへの強制切替表示を即実行可能であるとともに当該次回入力用画面表示データが部分画面表示データであると判別した場合には今回入力用画面表示データの表示終了まで強制切替表示の実行を遅延可能に形成されているので、請求項１の発明の場合と同様な効果を奏することができることに加え、さらに次回入力用画面表示データが全画面表示データおよび部分画面表示データのいずれの場合にも次回入力用画面表示データの表示を妥当性ある具体的なタイミングで円滑に行える。
【００８７】
また、請求項３の発明によれば、表示継続中判別手段と画面判別手段と強制切替表示制御手段と強制切替表示禁止制御手段とを設け、制御部から表示手段に次回入力用画面表示データが転送された場合に今回入力用画面表示データが表示継続中であると判別されかつ次回入力用画面表示データが全画面表示データであると判別されたことを条件に表示画面に表示継続中の今回入力用画面表示データに代えて当該次回入力用画面表示データを表示画面に強制切替表示可能であるとともに今回入力用画面表示データが表示継続中であると判別されかつ次回入力用画面表示データが部分画面表示データであると判別されたことを条件に表示画面に表示継続中の今回入力用画面表示データが表示終了するまで強制切替表示を禁止可能に形成されたデータ入力処理装置であるから、請求項１の発明の場合と同様に、画面表示切替速度とオペレータの入力速度との間にミスマッチを軽減することができる。例えば商品登録業務の遂行手順を熟知しかつデータ入力手段を用いたデータ入力速度が非常に速いオペレータに対しても、入力リズムを維持できる。しかも、制御部，表示制御回路（表示用コントローラ）および表示器等を含む表示手段のハードウエア的で過度な高速化をしなくていいので、コスト的・技術的に有利である。また、画面上の表示情報量の増大にも適応できる。さらに、自動画面切替方式であるから取扱いが簡単である。
【００８８】
さらに、請求項４の発明によれば、制御部がキーボードを用いた入力データに対応するデータ入力処理を実行可能かつ実行されたデータ入力処理に対応する次回入力用画面表示データを抽出しつつＬＣＤ構造の表示手段へ転送可能に形成されているから、請求項３の発明の場合と同様な作用効果を奏することができることに加え、さらにデータ入力手段が高速データ入力可能なキーボードでかつ表示手段が多様な表示速度の中から任意的事情によって選択された表示切替速度および大きさのＬＣＤ構造である装置においても適応できかつ利用性が高い。
【００８９】
さらにまた、請求項５の発明によれば、データ入力処理が少なくとも商品登録および会計処理を含む商品販売データ処理であるから、請求項１から請求項４までの各発明の場合と同様な作用効果を奏することができることに加え、さらに商品販売データ処理を円滑かつ正確に行えるとともに商品販売業務能率を向上できる。
【図面の簡単な説明】
【図１】本発明の第１（第２）の実施形態を示すブロック図である。
【図２】同じく、外観図である。
【図３】同じく、画面表示データ例を説明するための図である。
【図４】同じく、キー入力および画面表示データ転送に係る動作を説明するためのフローチャートである。
【図５】同じく、今回の画面表示データの転送動作を説明するためのフローチャートである。
【図６】同じく、精算業務時の画面表示態様例を説明するための図である。
【図７】同じく、点検業務時の画面表示態様例を説明するための図である。
【図８】同じく、登録業務時の基本画面表示態様例を説明するための図である。
【図９】同じく、登録業務時の画面表示態様例（テンキー「３」押下時点）を説明するための図である。
【図１０】同じく、登録業務時の画面表示態様例（サインオンキー押下時点）を説明するための図である。
【図１１】従来例によるデータ入力例を説明するための図である。
【図１２】従来例での画面表示切替例を説明するための図である。
【符号の説明】
１０  電子キャッシュレジスタ（データ入力処理装置）
２０  パーソナルコンピュータ（パソコン）
３０  制御部
４１  ＨＤＤ
４３  キーボード（データ入力手段）
５０  表示用コントローラ（表示手段）
６０  表示手段
６１  オペレータ用表示器（表示手段）
６１Ｇ  画面（表示画面）
６２  タッチパネル
６５  客用表示器
６６  タッチパネル
７１  スキャナ
８０  ストアコントローラ
【図１】
0003844185.tif 000002
【図２】
0003844185.tif 000003
【図３】
0003844185.tif 000004
【図４】
0003844185.tif 000005
【図５】
0003844185.tif 000006
【図６】
0003844185.tif 000007
【図７】
0003844185.tif 000008
【図８】
0003844185.tif 000009
【図９】
0003844185.tif 000010
【図１０】
0003844185.tif 000011
【図１１】
0003844185.tif 000012
【図１２】
0003844185.tif 000013